(57)【要約】【課題】陽子の構成はuクオークとuクオークとdクオークと中心の物です。中心の物とは何か。【解決手段】。中心の物とは陽子のラブです。dクオークは最も大きいエネルギーの物です。陽子の中心の物の質量エネルギー＝陽子の質量エネルギー-( 1.7MeVのuクオークの質量エネルギー＋3.1MeVのuクオークの質量エネルギー＋5.7MeVのdクオークの質量エネルギー)＝938.272MeV−(1.7MeV＋3.1MeV＋5.7MeV)＝938.272MeV−10.5MeV＝927.772MeV。陽子のラブの質量エネルギーは927.772MeV＝1.486×10-10Jです。この事から、陽子のラブの公転軌道、陽子のラブが1公転で作る電気の光子のエネルギー、陽子のラブの電磁気数、陽子のラブの場のAを求める。同様に、Δ+(1232)のラブ、Σ＋のラブ、Λ＋cのラブについても調べる。【選択図】図１
2017221047.tif 000002
【特許請求の範囲】
【請求項１】
陽子の構成はuクオークとuクオークとdクオークと中心の物です。どのような構造になっているか。
陽子の質量エネルギーは、938.272MeVですから、938.272MeV＝938.272×1.602×10-19J×106＝1.503×10-10J、です。
クオークは、1.7MeVのuクオークと3.1MeVのuクオークと5.7MeVのdクオークとする。
陽子の質量エネルギー＝uクオークの質量エネルギー＋uクオークの質量エネルギー＋dクオークの質量エネルギー＋中心の物の質量エネルギー
中心の物の質量エネルギー＝陽子の質量エネルギー-(1.7MeVの uクオークの質量エネルギー＋3.1MeVのuクオークの質量エネルギー＋5.7MeVのdクオークの質量エネルギー)
中心の物の質量エネルギー＝陽子の質量エネルギー-(1.7MeV＋3.1MeV＋5.7MeV)
中心の物の質量エネルギー＝938.272MeV-10.5MeV＝927.772MeV
陽子の中心の物の質量エネルギーは927.772MeVです。
陽子の中心の物の質量エネルギー＝927.772MeV＝927.772×1.602×10-19J×106＝1.486×10-10J
陽子の中心の物の公転軌道は、8.665×10−24Jm÷(1.486×10-10J)＝5.831×10-14m、です。
1公転でできる電気の光子1個のエネルギーはいくらか。
1公転でできる電気の光子1個のエネルギー＝1.233×10-41Jm÷(5.831×10-14m)＝2.115×10-28J
陽子の中心の物は何個の電磁気でできているか。
電磁気数＝陽子の中心の物のエネルギー÷電磁気1個のエネルギー＝1.486×10-10J÷(2.115×10-28J)＝7.026×1017(個)
磁気の光子の自転軌道＝電気の光子の公転軌道×3.14÷1公転の自転数＝5.831×10−14m×3.14÷(4.34×104回)＝4.219×10-18m
磁気の光子1個のエネルギー＝電気の光子1個のエネルギー÷1公転の自転数＝2.115×10-28J÷(4.34×104回)＝4.873×10-33J
陽子の中心の物ができた場のAはいくらか。
A=地表の電子のラブの公転軌道÷陽子の中心の物の公転軌道＝1.058×10-10m÷(5.831×10−14m)＝1.814×103
この事を表に示す。
陽子を構成する物
表１９
2017221047.tif 000021
【請求項２】
陽子は中心の物とuクオークとuクオークとdクオークによって構成される。どのように回転しているか。
・陽子の中心の物の質量エネルギーが938.272MeV-10.5MeV＝927.772MeV ＝1.486×10-10Jで、公転軌道は5.831×10−14m 。
高エネルギー加速器の中では、陽子の中心の物の質量エネルギー×3×108＝927.772MeV×3×108＝1.486×10-10J×3×108＝4.458×10-2J、です。
高エネルギー加速器の中では、陽子の中心の物の公転軌道＝8.665×10−24Jm÷(4.458×10-2J)＝1.944×10-22m、です。
地表では、陽子の中心の物の質量エネルギーは、927.772MeV ＝1.486×10-10Jです。
地表では、陽子の中心の物の公転軌道＝8.665×10−24Jm÷(1.486×10-10J)＝5.831×10-14m、です。
上記の事と、1.7MeVのuクオークの表、3.1MeVのuクオークの表、5.7MeVのdクオークの表から各々の回転軌道を得る。
高エネルギー加速器の中で5.7MeVのdクオークはどのようであるか。地表では5.7MeVのdクオークはどのようになるか。
表２０
2017221047.tif 000022
1.7MeVのuクオーク
表２１
2017221047.tif 000023
3.1 MeVのuクオーク
表２２
2017221047.tif 000024
陽子の中に存在する、陽子の中心の物とuクオークとdクオークについて、
高エネルギー加速器の中のエネルギーと高エネルギー加速器の中の軌道と地表のエネルギーと地表の軌道
表２３
2017221047.tif 000025
陽子の中は、陽子の中心の物(右回転)、dクオーク(左回転)、3.1MeVのuクオーク(右回転)、1.7MeVのuクオーク(右回転)の順に軌道は大きく成り回転している。
【請求項３】
陽子の中心の物とは何か。
陽子の中心の物とは陽子のラブです。陽子のラブが自転し公転することにより磁気の光子と電気の光子を作っている。その作った磁気の光子と電気の光子が塊に成ってdクオークとuクオークに成っている。
このように考えると、今までの陽子に対する概念が覆される。
今まで、陽子の質量エネルギーは938.272MeVであると考えられてきた。その中に、uクオークが2個とdクオークが1個存在する、と考えられてきた。
しかし、陽子の中身を調べてみると、そこに存在する最も大きな質量エネルギーの存在は、陽子の中心の物です。陽子の中心の物は陽子のラブです。この陽子のラブが自転しながら公転し、電磁気を作っている。
それで、陽子のラブについて再度考える。
【請求項４】
陽子のラブについて。
陽子のラブは陽子の中心の物です。
陽子のラブの質量エネルギーは、周囲に存在するuクオークとuクオークとdクオークの質量により異なる。
uクオークは2種類の質量エネルギーの物とし、1.7MeVと3.1MeVとする。
dクオークについては、4.1MeVのdクオークの公転軌道は3.520×10−12m であり、5.7MeVのdクオークの公転軌道は2.531×10−12m である。中心の物の公転軌道は5.812×10-14m 〜5.839×10-14mです。陽子のラブの自転と公転によりdクオークができるのですから、より陽子のラブの公転軌道に近い軌道を公転するdクオークをdクオークとする。  より質量エネルギーの大きいクオークとする。5.7MeVのクオークとする。
陽子の中心の物の質量エネルギー＝陽子の質量エネルギー-( 1.7MeVのuクオークの質量エネルギー＋3.1MeVのuクオークの質量エネルギー＋5.7MeVのdクオークの質量エネルギー)＝938.272MeV−(1.7MeV＋3.1MeV＋5.7MeV)＝938.272MeV−10.5MeV＝927.772MeV
陽子の中心の物の質量エネルギーは927.772MeVです。
陽子のラブの質量エネルギーは927.772MeVです。927.772MeV＝927.772×1.602×10-19J×106＝1.486×10-10J
陽子のラブの公転軌道エネルギーを8.665×10-24Jmとすると、陽子のラブの公転軌道＝8.665×10-24Jm÷(1.486×10-10J)＝5.831×10-14m、です。
陽子のラブが1公転で作る電気の光子1個のエネルギーは、1.233×10-41Jm÷(5.831×10-14m)＝2.115×10-28J、です。
陽子のラブの質量エネルギーは何個分の電磁気のエネルギー-であるか。
陽子のラブの質量エネルギー÷電気の光子1個のエネルギー＝1.486×10-10J÷(2.115×10-28J)＝7.026×1017(個)
陽子のラブの質量エネルギーは7.026×1017個分の電磁気のエネルギー-である。
陽子のラブの自転軌道＝公転軌道×3.14÷1公転の自転数＝5.831×10-14m×3.14÷(4.34×104)＝4.219×10−18m
陽子のラブが1自転で作る磁気の光子1個のエネルギーはいくらか。
陽子のラブが1自転で作る磁気の光子1個のエネルギー＝電気の光子1個のエネルギー÷1公転の自転数＝2.115×10-28J÷(4.34×104)＝4.873×10−33J
陽子のラブが存在する場のA=地表の電子のラブの公転軌道÷陽子中心の物の公転軌道＝1.058×10-10m÷(5.831×10−14m)＝1.814×103
まとめて表に示す。
陽子のラブ
表２４
2017221047.tif 000026
理解できる事。
1．陽子のラブは、4.219×10−18m の軌道を自転しながら、5.831×10-14mの公転軌道を回転する。
2．陽子のラブは、4.219×10−18m の軌道を1回自転し、4.873×10−33Jの磁気の光子を1個作る。
3．陽子のラブは、5.831×10-14mの公転軌道を1回転するとき、4.34×104回自転し、4.34×104個の磁気の光子を作る。
4．陽子のラブは、5.831×10-14mの公転軌道を1回転するとき作る磁気の光子のエネルギーは、4.873×10−33J×4.34×104個＝2.115×10−28J、です。
5．陽子のラブは、5.831×10-14mの公転軌道を1回転し、2.115×10-28Jの電気の光子を1個作る。
6．陽子のラブは、5.831×10-14mの公転軌道を1回転し、2.115×10-28Jの電気の光子を1個作り、同時に4.34×104回自転し、4.34×104個の磁気の光子を作り、そのエネルギーは共に2.115×10−28Jです。作用する方向は垂直方向です。
7．陽子のラブは同じ時間に同じエネルギーの電気の光子と磁気の光子を作る。
8．927.772MeV＝1.486×10-10Jの陽子のラブが存在する場は、A=1.814×103です。
9．陽子のラブの質量エネルギーは7.026×1017個分の電磁気の質量エネルギー-である。
【請求項５】
Δ+(1232)の構成はuクオークとuクオークとdクオークと中心の物です。どのような構造になっているか。  
Δ+(1232)の質量エネルギーは1231〜1233MeVですから、中間の1232MeVとする。
1232MeV＝1232×1.602×10-19J×106＝1.974×10-10J、です。
uクオークの質量エネルギーは、1.7MeVと3.1MeVで、dクオークの質量エネルギーは5.7MeVとする。
Δ+(1232)の質量エネルギー＝uクオークの質量エネルギー＋uクオークの質量エネルギー＋dクオークの質量エネルギー＋中心の物の質量エネルギー
中心の物の質量エネルギー＝Δ+(1232)の質量エネルギー-(1.7 uクオークの質量エネルギー＋3.1uクオークの質量エネルギー＋5.7dクオークの質量エネルギー)
中心の物の質量エネルギー＝Δ+(1232)の質量エネルギー-(1.7MeV＋3.1MeV＋5.7MeV)
中心の物の質量エネルギー＝1232MeV-10.5MeV＝1221.5MeV
Δ+(1232)の中心の物の質量エネルギーは1221.5MeVです。
Δ+(1232)の中心の物の質量エネルギー＝1221.5MeV＝1221.5×1.602×10-19J×106＝1.957×10-10J
1.957×10-10JのΔ+(1232) の中心の物の公転軌道は、8.665×10−24Jm÷(1.957×10-10J)＝4.428×10-14m、です。
1公転でできる電気の光子1個のエネルギーはいくらか。
1公転でできる電気の光子1個のエネルギー＝1.233×10-41Jm÷(4.428×10-14m)＝2.785×10-28J
Δ+(1232)の中心の物は何個の電磁気が1束になっているか。
1束の電磁気数＝Δ+(1232)の中心の物のエネルギー÷電磁気1個のエネルギー＝1.957×10-10J÷(2.785×10-28J)＝7.027×1017(個)
磁気の光子の自転軌道＝電気の光子の公転軌道×3.14÷1公転の自転数＝4.428×10−14m×3.14÷(4.34×104回)＝3.204×10-18m
磁気の光子1個のエネルギー＝電気の光子1個のエネルギー÷1公転の自転数＝2.785×10-28J÷(4.34×104回)＝6.417×10-33J
Δ+(1232)の中心の物ができた場のAはいくらか。
A=地表の電子のラブの公転軌道÷Δ+(1232)の中心の物の公転軌道＝1.058×10-10m÷(4.428×10−14m)＝2.389×103
この事を表に示す。
Δ+(1232)を構成する物
表２５
2017221047.tif 000027
【請求項６】
Δ+(1232)は中心の物とuクオークとuクオークとdクオークによって構成される。どのように回転しているか。
・Δ+(1232)の中心の物の質量ネルギーが1221.5MeV＝1.957×10-10Jで、公転軌道は4.428×10-14mの場合。
高エネルギー加速器の中では、Δ+(1232)の中心の物の質量ネルギー×3×108＝1221.5MeV×3×108＝1.957×10-10J×3×108＝5.871×10-2J、です。
高エネルギー加速器の中では、Δ+(1232)の中心の物の公転軌道＝8.665×10−24Jm÷(5.871×10-2J)＝1.476×10-22m、です。
地表では、Δ+(1232)の中心の物の質量エネルギーは、1221.5MeV ＝1.957×10-10J です。
地表では、Δ+(1232の中心の物の公転軌道＝8.665×10−24Jm÷(1.957×10-10J )＝4.428×10-14m、です。
上記の事と、1.7MeVのuクオークの表、3.1MeVのuクオークの表、5.7MeVのdクオークの表から回転軌道を得る。
この事を表に示す。
Δ+(1232)の中に存在する、Δ+(1232)の中心の物と uクオークとuクオークとdクオークについて、
高エネルギー加速器の中のエネルギーと高エネルギー加速器の中の軌道と地表のエネルギーと地表の軌道
表２６
2017221047.tif 000028
Δ+(1232)の中は、Δ+(1232)の中心の物(右回転)、5.7MeVのdクオーク(左回転)、3.1MeVのuクオーク(右回転)、1.7MeVのuクオーク(右回転)の順に軌道は大きく成り回転している。
【請求項７】
Δ+(1232)のラブについて。
Δ+(1232)の中はuクオークとuクオークとdクオークと中心の物が存在する。
課題4．の考えによりdクオークは質量エネルギーの大きい5.7MeVのdクオークとする。
Δ+(1232)の中心の物の質量エネルギー＝Δ+(1232)の質量エネルギー-( 1.7MeVのuクオークの質量エネルギー＋3.1MeVのuクオークの質量エネルギー＋5.7MeVのdクオークの質量エネルギー)＝1232MeV−(1.7MeV＋3.1MeV＋5.7MeV)＝1232MeV−10.5MeV＝1221.5MeV
Δ+(1232)の中心の物の質量エネルギーは1221.5MeVです。
Δ+(1232)のラブの質量エネルギーは1221.5MeVです。1221.5MeV＝1221.5×1.602×10-19J×106＝1.957×10-10J
Δ+(1232)のラブの公転軌道エネルギーを8.665×10-24Jmとすると、Δ+(1232)のラブの公転軌道＝8.665×10-24Jm÷(1.957×10-10J)＝4.428×10-14m、です。
Δ+(1232)のラブが1公転で作る電気の光子1個のエネルギーは、1.233×10-41Jm÷(4.428×10-14m)＝2.785×10-28J、です。
Δ+(1232)のラブの質量エネルギーは何個分の電磁気のエネルギー-であるか。
Δ+(1232)のラブの質量エネルギー÷電気の光子1個のエネルギー＝1.957×10-10J÷(2.785×10-28J)＝7.027×1017(個)
Δ+(1232)のラブの質量エネルギーは7.027×1017個分の電磁気のエネルギー-である。
Δ+(1232)のラブの自転軌道＝公転軌道×3.14÷1公転の自転数＝4.428×10-14m×3.14÷(4.34×104)＝3.204×10−18m
Δ+(1232)のラブが1自転で作る磁気の光子1個のエネルギーはいくらか。
Δ+(1232)のラブが1自転で作る磁気の光子1個のエネルギー＝電気の光子1個のエネルギー÷1公転の自転数＝2.785×10-28J÷(4.34×104)＝6.417×10−33J
Δ+(1232)のラブできた場のA＝地表の電子のラブの公転軌道÷Δ+(1232)の中心の物の公転軌道＝1.058×10-10m÷(4.428×10−14m)＝2.389×103
まとめて表に示す。
Δ+(1232)のラブ
表２７
2017221047.tif 000029
理解できる事
1．Δ+(1232)のラブは陽子のラブのエネルギーが、1221.5MeV÷927.772MeV MeV＝1.317倍に成ったものです。
陽子のラブのエネルギーをクオークの質量エネルギーを引いたものとする。
【請求項８】
Σ＋の構成はuクオークとuクオークとsクオークと中心の物です。どのような構造になっているか。
Σ＋の質量エネルギーは、1189.37MeVですから、1189.37MeV＝1189.37×1.602×10-19J×106＝1.905×10-10J、です。
1.7MeVのuクオークと3.1MeVのuクオークと130MeVのsクオークとする。
Σ＋の質量エネルギー＝uクオークの質量エネルギー＋uクオークの質量エネルギー＋sクオークの質量エネルギー＋中心の物の質量エネルギー
中心の物の質量エネルギー＝Σ＋の質量エネルギー-(1.7 MeVの uクオークの質量エネルギー＋3.1 MeVのuクオークの質量エネルギー＋130 MeVのsクオークの質量エネルギー)
中心の物の質量エネルギー＝Σ＋の質量エネルギー-(1.7 MeV＋3.1 MeV＋130 MeV)
中心の物の質量エネルギー＝1189.37MeV-134.8MeV＝1054.57MeV
Σ＋の中心の物の質量エネルギーは1054.57MeVです。
Σ＋の中心の物の質量エネルギー＝1054.57MeV＝1054.57×1.602×10-19J×106＝1.689×10-10J
Σ＋の中心の物の中心の物の公転軌道は、8.665×10−24Jm÷(1.689×10-10J)＝5.130×10-14m、です。
1公転でできる電気の光子1個のエネルギーはいくらか。
1公転でできる電気の光子1個のエネルギー＝1.233×10-41Jm÷(5.130×10-14m)＝2.404×10-28J
Σ＋の中心の物は何個の電磁気が1束になっているか。
1束の電磁気数＝Σ＋の中心の物のエネルギー÷電磁気1個のエネルギー＝1.689×10-10J÷(2.404×10-28J)＝7.026×1017(個)
磁気の光子の自転軌道＝電気の光子の公転軌道×3.14÷1公転の自転数＝5.130×10−14m×3.14÷(4.34×104回)＝3.712×10-18m
磁気の光子1個のエネルギー＝電気の光子1個のエネルギー÷1公転の自転数＝2.4041×10-28J÷(4.34×104回)＝5.539×10-33J
Σ＋の中心の物ができた場のAはいくらか。
A=地表の電子のラブの公転軌道÷Σ＋の中心の物の公転軌道＝1.058×10-10m÷(5.130×10−14m)＝2.062×103
この事を表に示す。
Σ＋を構成する物
表２８
2017221047.tif 000030
【請求項９】
Σ＋は中心の物とuクオークとuクオークとsクオークによって構成される。どのように回転しているか。
・Σ＋の中心の物の質量エネルギーが1054.57MeV＝1.689×10-10J で、公転軌道は5.130×10-14m 。
高エネルギー加速器の中では、Σ＋の中心の物の質量エネルギー×3×108＝1054.57MeV×3×108＝1.689×10-10J×3×108＝5.067×10-2J、です。
高エネルギー加速器の中では、Σ＋の中心の物の公転軌道＝8.665×10−24Jm÷(5.067×10-2J)＝1.710×10-22m、です。
地表では、Σ＋の中心の物の質量エネルギーは、1054.57MeV＝1.689×10-10J です。
地表では、Σ＋の中心の物の公転軌道＝8.665×10−24Jm÷(1.689×10-10J)＝5.130×10-14m、です。
上記の事と、1.7MeVのuクオークの表、3.1MeVのuクオークの表、80MeVのsクオークの表、130MeVのsクオークの表から回転する軌道を得る。
130MeVのSクオーク
表２９
2017221047.tif 000031
この事を表に示す。
Σ＋の中に存在する、 Σ＋の中心の物と uクオークとuクオークとsクオークについて、
高エネルギー加速器の中のエネルギーと高エネルギー加速器の中の軌道と地表のエネルギーと地表の軌道
表３０
2017221047.tif 000032
Σ＋の中で、Σ＋の中心の物(右回転)、130MeVのsクオーク(左回転)、3.1MeVのuクオーク(右回転)、1.7MeVのuクオーク(右回転)の順に軌道は大きく成り回転している。
【請求項１０】
Σ＋のラブについて。
Σ＋の中はuクオークとuクオークとsクオークと中心の物が存在する。
課題4．の考えによりsクオークはエネルギーの大きい130MeVのsクオークとする。
Σ＋の中心の物の質量エネルギー＝Σ＋の質量エネルギー-( 1.7MeVのuクオークの質量エネルギー＋3.1MeVのuクオークの質量エネルギー＋130MeVのsクオークの質量エネルギー)＝1189.37MeV−(1.7MeV＋3.1MeV＋130MeV)＝1189.37MeV−134.8MeV＝1054.57MeV
Σ＋の中心の物の質量エネルギーは1054.57MeVです。
Σ＋のラブの質量エネルギーは1054.57MeVです。1054.57MeV＝1054.57×1.602×10-19J×106＝1.689×10-10J
Σ＋のラブの公転軌道エネルギーを8.665×10-24Jmとすると、陽子のラブの公転軌道＝8.665×10-24Jm÷(1.689×10-10J)＝5.130×10-14m、です。
Σ＋のラブが1公転で作る電気の光子1個のエネルギーは、1.233×10-41Jm÷(5.130×10-14m)＝2.404×10-28J、です。
Σ＋のラブの質量エネルギーは何個分の電磁気のエネルギー-であるか。
Σ＋のラブの質量エネルギー÷電気の光子1個のエネルギー＝1.689×10-10J÷(2.404×10-28J)＝7.026×1017(個)
Σ＋のラブの質量エネルギーは7.026×1017個分の電磁気のエネルギー-である。
Σ＋のラブの自転軌道＝公転軌道×3.14÷1公転の自転数＝5.130×10-14m×3.14÷(4.34×104)＝3.712×10−18m
Σ＋のラブが1自転で作る磁気の光子1個のエネルギーはいくらか。
Σ＋のラブが1自転で作る磁気の光子1個のエネルギー＝電気の光子1個のエネルギー÷1公転の自転数＝2.404×10-28J÷(4.34×104)＝5.539×10−33J
Σ＋のラブできた場のA＝地表の電子のラブの公転軌道÷Δ+(1232)の中心の物の公転軌道＝1.058×10-10m÷(5.130×10−14m)＝2.062×103
まとめて表に示す。
Σ＋のラブ
表３１
2017221047.tif 000033
【請求項１１】
Λ＋cの構成は中心の物とuクオークとdクオークとcクオークです。どのような構造になっているか。
Λ＋cの質量エネルギーは、2286.46MeVですから、2286.46MeV＝2286.46×1.602×10-19J×106＝3.662×10-10J、です。
クオークの質量エネルギーは質量エネルギーの大きい物とする。
3.1MeVのuクオークと5.7MeVのdクオークと1340MeVのcクオークとする。
Λ＋cの質量エネルギー＝uクオークの質量エネルギー＋dクオークの質量エネルギー＋cクオークの質量エネルギー＋中心の物の質量エネルギー
中心の物の質量エネルギー＝Λ＋cの質量エネルギー-( uクオークの質量エネルギー＋dクオークの質量エネルギー＋cクオークの質量エネルギー)
中心の物の質量エネルギー＝2286.46MeV-(3.1MeV＋5.7MeV＋1340MeV)＝2286.46MeV &#8211;1348.8MeV＝937.66MeV
Λ＋cの中心の物の質量エネルギーは937.66MeVです。
Λ＋cの中心の物の質量エネルギー＝937.66MeV＝937.66×1.602×10-19J×106＝1.502×10-10J
Λ＋cの中心の物の中心の物の公転軌道は、8.665×10−24Jm÷(1.502×10-10J)＝5.769×10-14m、です。
1公転でできる電気の光子1個のエネルギーはいくらか。
1公転でできる電気の光子1個のエネルギー＝1.233×10-41Jm÷(5.769×10-14m)＝2.137×10-28J
Λ＋cの中心の物は何個の電磁気が1束になっているか。
1束の電磁気数＝Λ＋cの中心の物のエネルギー÷電磁気1個のエネルギー＝1.502×10-10J÷(2.137×10-28J)＝7.029×1017(個)
磁気の光子の自転軌道＝電気の光子の公転軌道×3.14÷1公転の自転数＝5.769×10−14m×3.14÷(4.34×104回)＝4.174×10-18m
磁気の光子1個のエネルギー＝電気の光子1個のエネルギー÷1公転の自転数＝2.137×10-28J÷(4.34×104回)＝4.924×10-33J
Λ＋cの中心の物ができた場のAはいくらか。
A=地表の電子のラブの公転軌道÷Λ＋cの中心の物の公転軌道＝1.058×10-10m÷(5.769×10−14m)＝1.834×103
この事を表に示す。
Λ＋cを構成する物
表３２
2017221047.tif 000034
【請求項１２】
Λ＋cは中心の物とuクオークとdクオークとcクオークによって構成される。どのように回転しているか。
・Λ＋cの中心の物の質量エネルギーが937.66MeV ＝1.502×10-10J で、公転軌道は 5.769×10-14m。
高エネルギー加速器の中では、Λ＋cの中心の物の質量エネルギー×3×108＝937.66MeV×3×108＝1.502×10-10J×3×108＝4.506×10-2J、です。
高エネルギー加速器の中では、Λ＋cの中心の物の公転軌道＝8.665×10−24Jm÷(4.506×10-2J)＝1.923×10-22m、です。
地表では、Λ＋cの中心の物の質量エネルギーは、 937.66MeV ＝1.502×10-10Jです。
地表では、Λ＋cの中心の物の公転軌道＝8.665×10−24Jm÷(1.502×10-10J)＝5.769×10-14m、です。
上記の事と、3.1MeVのクオークの表、5.7MeVのdクオークの表、1340MeVのcクオークの表から、回転する軌道を得る。
1.34GeVのcクオーク
表３３
2017221047.tif 000035
この事を表に示す。
Λ＋cの中に存在する、Λ＋cの中心の物と uクオークとdクオークとcクオークについて、
高エネルギー加速器の中のエネルギーと高エネルギー加速器の中の軌道と地表のエネルギーと地表の軌道
表３４
2017221047.tif 000036
【請求項１３】
Λ＋cのラブについて。
Λ＋cの中はuクオークとdクオークとcクオークと中心の物が存在する。
課題4．の考えによりクオークはエネルギーの大きいクオークとする。
Λ＋cの中心の物の質量エネルギー＝Λ＋cの質量エネルギー-( 3.1MeVのuクオークの質量エネルギー＋5.7MeVのdクオークの質量エネルギー＋1340MeVのcクオークの質量エネルギー)＝2286.46MeV−(3.1MeV＋5.7MeV＋1340MeV)＝2286.46MeV−1348.8MeV＝937.66MeV
Λ＋cの中心の物の質量エネルギーは937.66MeVです。
Λ＋cのラブの質量エネルギーは937.66MeVです。937.66MeV＝937.66×1.602×10-19J×106＝1.502×10-10J
Λ＋cのラブの公転軌道エネルギーを8.665×10-24Jmとすると、陽子のラブの公転軌道＝8.665×10-24Jm÷(1.502×10-10J)＝5.769×10-14m、です。
Λ＋cのラブが1公転で作る電気の光子1個のエネルギーは、1.233×10-41Jm÷(5.769×10-14m)＝2.137×10-28J、です。
Λ＋cのラブの質量エネルギーは何個分の電磁気のエネルギー-であるか。
Λ＋cのラブの質量エネルギー÷電気の光子1個のエネルギー＝1.502×10-10J÷(2.137×10-28J)＝7.029×1017(個)
Λ＋cのラブの質量エネルギーは7.029×1017個分の電磁気のエネルギー-である。
Λ＋cのラブの自転軌道＝公転軌道×3.14÷1公転の自転数＝5.769×10-14m×3.14÷(4.34×104)＝4.174×10−18m
Λ＋cのラブが1自転で作る磁気の光子1個のエネルギーはいくらか。
Λ＋cのラブが1自転で作る磁気の光子1個のエネルギー＝電気の光子1個のエネルギー÷1公転の自転数＝2.137×10-28J÷(4.34×104)＝4.924×10−33J
Λ＋cのラブできた場のA＝地表の電子のラブの公転軌道÷Δ+(1232)の中心の物の公転軌道＝1.058×10-10m÷(5.769×10−14m)＝1.834×103
まとめて表に示す。
Λ＋cのラブ
表３５
2017221047.tif 000037
【請求項１４】
ラブはどのような粒子か。
・陽子のラブはどのような粒子か。
陽子のラブは陽子の中心の物です。
陽子のラブの質量エネルギーは927.772MeV ＝1.486×10-10J です。
陽子のラブは5.831×10-14mの軌道を公転する。
陽子のラブはA=1.814×103の場に存在する。
陽子のラブが1公転で作る電磁気1個のエネルギーは2.115×10-28Jです。
陽子のラブの電磁気数は7.026×1017個です。
・Δ+(1232)のラブはどのような粒子か。
Δ+(1232)のラブの質量エネルギーは1232MeV-10.5MeV＝1221.5MeV ＝1.957×10-10Jです。
Δ+(1232)のラブは4.428×10-14mの軌道を公転する。
Δ+(1232)のラブの質量エネルギーは陽子のラブの質量エネルギーの、1.957×10-10J÷(1.486×10-10J)＝1.317倍に成ったものです。
Δ+(1232)のラブができた場のAは、陽子のラブが存在する場のAの、2.389×103÷(1.814×103)＝1.316倍です。
Δ+(1232)のラブが1公転で作る電磁気1個のエネルギーは2.785×10-28Jです。
Δ+(1232)のラブの電磁気数は7.027×1017個です。
・Σ＋のラブはどのような粒子か。
Σ＋のラブの質量エネルギーは1189.37MeV−134.8MeV＝1054.57MeV＝1.689×10-10Jです。
Σ＋のラブは5.130×10-14mの軌道を公転する。
Σ＋のラブの質量エネルギーは陽子のラブの質量エネルギーの、1.689×10-10J ÷(1.486×10-10J)＝1.137倍に成ったものです。
Σ＋のラブができた場のAは、陽子のラブが存在する場のAの、2.062×103÷(1.814×103)＝1.137倍です。
Σ＋のラブが1公転で作る電磁気1個のエネルギーは2.404×10-28Jです。
Σ＋のラブの電磁気数は7.026×1017個です。
・Λ＋cのラブはどのような粒子か。
Λ＋cのラブの質量エネルギーは2286.46MeV−1348.8MeV＝937.66MeV ＝1.502×10-10Jです。
Λ＋cのラブは5.769×10-14mの軌道を公転する。
Λ＋cのラブの質量エネルギーは陽子のラブの質量エネルギーの、1.502×10-10J÷(1.490×10-10J)＝1.008倍に成ったものです。
Λ＋cのラブができた場のAは、陽子のラブが存在する場のAの、1.834×103÷(1.814×103)＝1.011倍です。
Λ＋cのラブが1公転で作る電磁気1個のエネルギーは2.137×10-28Jです。
Λ＋cのラブの電磁気数は7.029×1017個です。
まとめて表に示す。
陽子のラブとΔ+(1232)のラブとΣ＋のラブとΛ＋cのラブ
表３６
2017221047.tif 000038
【請求項１５】
粒子の軌道エネルギーは8.665×10−24Jmです。電磁気の軌道エネルギーは1.233×10−41Jmです。この事は何を意味するか。
粒子の軌道エネルギーは電磁気の軌道エネルギーの何倍か。
粒子の軌道エネルギー÷電磁気の軌道エネルギー＝8.665×10−24Jm÷(1.233×10−41Jm)＝7.028×1017
粒子の軌道エネルギーは電磁気の軌道エネルギーの7.028×1017倍です。
この事は、電磁気が7.028×1017個集まり粒子に成る事を示す。
この事は、軌道エネルギー＝軌道質量エネルギー、です。
「粒子の質量と電磁気の質量の統一」より、
エネルギー＝質量エネルギー、であるからです。
粒子の軌道エネルギー＝電磁気の軌道エネルギー×7.028×1017
粒子の軌道質量エネルギー＝電磁気の軌道質量エネルギー×7.028×1017
この事は、電磁気が7.028×1017個集まり粒子に成る事を示す。
○総括
これらの事によって理解できた事。
陽子のラブ、Δ+(1232)のラブ、Σ＋のラブ、Λ＋cのラブ等の粒子は、約7.028×1017個の電磁気でできている。
粒子は約7.028×1017個の電磁気でできている。
【発明の詳細な説明】
【技術分野】
【０００１】
本発明は、陽子、Δ+(1232)、Σ＋、Λ＋cに関するものである。
【背景技術】
【０００２】
2016年5月24日に提出した、特願2016−103199「中間子2」に於いて、次のように考えた。
例えば、D+中間子の構成はcクオークと反dクオークとD+中間子の中心の物です。どのような構成に成っているか。
D+中間子は、D+ 中間子の中心の物とcクオークと反dクオークによって構成される。どのように回転しているか。
陽子、Δ+(1232)、Σ＋、Λ＋cに関しても、同じような方法で考える。
【先行技術文献】
【特許文献】
【０００３】
【特許文献１】特願2016−026470
【特許文献１】特願2016−076231
【特許文献１】特願2016−103199
【発明の概要】
【発明が解決しようとする課題】
【０００４】
1．陽子の構成はuクオークとuクオークとdクオークと中心の物です。どのような構造になっているか。
2．陽子は中心の物とuクオークとuクオークとdクオークによって構成される。どのように回転しているか。
3．陽子の中心の物とは何か。
4．陽子のラブについて。
5．Δ+(1232)の構成はuクオークとuクオークとdクオークと中心の物です。どのような構造になっているか。
6．Δ+(1232)は中心の物とuクオークとuクオークとdクオークによって構成される。どのように回転しているか。
7．Δ+(1232)のラブについて。
8．Σ＋の構成はuクオークとuクオークとsクオークと中心の物です。どのような構造になっているか。
9．Σ＋は中心の物とuクオークとuクオークとsクオークによって構成される。どのように回転しているか。
10．Σ＋のラブについて。
11．Λ＋cの構成は中心の物とuクオークとdクオークとcクオークです。どのような構造になっているか。
12．Λ＋cは中心の物とuクオークとdクオークとcクオークによって構成される。どのように回転しているか。
13．Λ＋cのラブについて。
14．ラブはどのような粒子か。
15．粒子の軌道エネルギーは8.665×10−24Jmです。電磁気の軌道エネルギーは1.233×10−41Jmです。この事は何を意味するか。
【課題を解決するための手段】
【０００５】
1．クオークは、1.7MeVのuクオークと3.1MeVのuクオークと5.7MeVのdクオークとする。
中心の物の質量エネルギー＝陽子の質量エネルギー-(1.7MeV＋3.1MeV＋5.7MeV)
中心の物の質量エネルギー＝938.272MeV-10.5MeV＝927.772MeV＝1.486×10-10J
公転軌道はいくらか。1公転でできる電気の光子1個のエネルギーはいくらか。陽子の中心の物は何個の電磁気が1束になっているか。磁気の光子の自転軌道。磁気の光子1個のエネルギー。陽子の中心の物が存在する場のAはいくらか。それらを求める。
2．陽子の中心の物の質量エネルギーは927.772MeV＝1.486×10-10J です。
高エネルギー加速器の中の質量エネルギー、高エネルギー加速器の中の公転軌道、地表の質量エネルギー、地表の公転軌道を求める。
この事と、1.7MeVのuクオークの表、3.1MeVのuクオークの表、5.7MeVのdクオークの表から各々の回転軌道を得る。
3．陽子の中心の物とは陽子のラブです。陽子のラブが自転し公転することにより磁気の光子と電気の光子を作っている。その作った磁気の光子と電気の光子が塊に成ってdクオークとuクオークに成っている。
4．クオークは、より陽子のラブの公転軌道に近い軌道を公転するdクオークをdクオークとする。  より質量エネルギーの大きいクオークとする。5.7MeVのdクオークとする。
陽子の中心の物の質量エネルギー＝陽子の質量エネルギー-( 1.7MeVのuクオークの質量エネルギー＋3.1MeVのuクオークの質量エネルギー＋5.7MeVのdクオークの質量エネルギー)＝938.272MeV−(1.7MeV＋3.1MeV＋5.7MeV)＝938.272MeV−10.5MeV＝927.772MeV
陽子の中心の物の質量エネルギーは927.772MeVです。陽子のラブの質量エネルギーは927.772MeVです。
陽子のラブについて、陽子のラブの公転軌道。陽子のラブが1公転で作る電気の光子1個のエネルギー。陽子のラブの質量エネルギーは何個分の電磁気のエネルギー-であるか。陽子のラブの自転軌道。陽子のラブが1自転で作る磁気の光子1個のエネルギー。陽子のラブが存在する場のA。それらを求める。
5．中心の物の質量エネルギー＝Δ+(1232)の質量エネルギー-(1.7MeVのuクオークの質量エネルギー＋3.1MeVのuクオークの質量エネルギー＋5.7dクオークの質量エネルギー)
中心の物の質量エネルギー＝1232MeV-10.5MeV＝1221.5MeV＝1.957×10-10J
公転軌道はいくらか。1公転でできる電気の光子1個のエネルギーはいくらか。Δ+(1232)の中心の物は何個の電磁気が1束になっているか。磁気の光子の自転軌道。磁気の光子1個のエネルギー。Δ+(1232)の中心の物ができた場のAはいくらか。それらを求める。
6．Δ+(1232)の中心の物の質量ネルギーは1221.5MeV＝1.957×10-10Jです。
高エネルギー加速器の中の質量エネルギー、高エネルギー加速器の中の公転軌道、地表の質量エネルギー、地表の公転軌道を求める。
この事と、1.7MeVのuクオークの表、3.1MeVのuクオークの表、5.7MeVのdクオークの表から各々の回転軌道を得る。
7．Δ+(1232)の中心の物の質量エネルギー＝Δ+(1232)の質量エネルギー-( 1.7MeVのuクオークの質量エネルギー＋3.1MeVのuクオークの質量エネルギー＋5.7MeVのdクオークの質量エネルギー)＝1232MeV−(1.7MeV＋3.1MeV＋5.7MeV)＝1232MeV−10.5MeV＝1221.5MeV
Δ+(1232)の中心の物の質量エネルギーは1221.5MeVです。Δ+(1232)のラブの質量エネルギーは1221.5MeVです。
Δ+(1232)のラブについて、Δ+(1232)のラブの公転軌道。Δ+(1232)のラブが1公転で作る電気の光子1個のエネルギー。Δ+(1232)のラブの質量エネルギーは何個分の電磁気のエネルギー-であるか。Δ+(1232)のラブの自転軌道。Δ+(1232)のラブが1自転で作る磁気の光子1個のエネルギー。Δ+(1232)のラブがきた場のA。それらを求める。
8．中心の物の質量エネルギー＝Σ＋の質量エネルギー-(1.7MeV のuクオークの質量エネルギー＋3.1MeV のuクオークの質量エネルギー+130MeV のsクオークの質量エネルギー)
中心の物の質量エネルギー＝1189.37MeV-(1.7MeV+3.1MeV＋130MeV)＝1189.37MeV -134.8MeV＝1054.57MeV
公転軌道はいくらか。1公転でできる電気の光子1個のエネルギーはいくらか。Σ＋の中心の物は何個の電磁気が1束になっているか。磁気の光子の自転軌道。磁気の光子1個のエネルギー。Σ＋の中心の物ができた場のAはいくらか。それらを求める。
9．Σ＋の中心の物の質量エネルギーは1105.97MeV＝1.772×10-10J です。
高エネルギー加速器の中の質量エネルギー、高エネルギー加速器の中の公転軌道、地表の質量エネルギー、地表の公転軌道を求める。
この事と、1.7MeVのuクオークの表、3.1MeVのuクオークの表、130MeVのsクオークの表から各々の回転軌道を得る。
10．Σ＋の中心の物の質量エネルギー＝Σ＋の質量エネルギー-( 1.7MeVのuクオークの質量エネルギー＋3.1MeVのuクオークの質量エネルギー＋130MeVのsクオークの質量エネルギー)＝1189.37MeV−(1.7MeV＋3.1MeV＋130MeV)＝1189.37MeV−134.8MeV＝1054.57MeV
Σ＋の中心の物の質量エネルギーは1054.57MeVです。Σ＋のラブの質量エネルギーは1054.57MeVです。
Σ＋のラブについて、Σ＋のラブの公転軌道。Σ＋のラブが1公転で作る電気の光子1個のエネルギー。Σ＋のラブの質量エネルギーは何個分の電磁気のエネルギー-であるか。Σ＋のラブの自転軌道。Σ＋のラブが1自転で作る磁気の光子1個のエネルギー。Σ＋のラブができた場のA。それらを求める。
11．中心の物の質量エネルギー＝Λ＋cの質量エネルギー-(3.1MeVの uクオークの質量エネルギー＋5.7MeV のdクオークの質量エネルギー＋1340MeV のcクオークの質量エネルギー)
中心の物の質量エネルギー＝2286.46MeV-(3.1MeV＋5.7MeV＋1340MeV)＝2286.46MeV &#8211;1348.8MeV＝937.66MeV
公転軌道はいくらか。1公転でできる電気の光子1個のエネルギーはいくらか。Λ＋cの中心の物は何個の電磁気が1束になっているか。磁気の光子の自転軌道。磁気の光子1個のエネルギー。Λ＋cの中心の物ができた場のAはいくらか。を求める。
12．Λ＋cの中心の物の質量エネルギーは937.66MeV ＝1.502×10-10J  です。
高エネルギー加速器の中の質量エネルギー、高エネルギー加速器の中の公転軌道、地表の質量エネルギー、地表の公転軌道を求める。
この事と、3.1MeVのuクオークの表、5.7MeVのdクオークの表、1340MeVのcクオークの表から、各々の回転軌道を得る。
13．Λ＋cの中心の物の質量エネルギー＝Λ＋cの質量エネルギー-( 3.1MeVのuクオークの質量エネルギー＋5.7MeVのdクオークの質量エネルギー＋1340MeVのcクオークの質量エネルギー)＝2286.46MeV−(3.1MeV＋5.7MeV＋1340MeV)＝2286.46MeV−1348.8MeV＝937.66MeV
Λ＋cの中心の物の質量エネルギーは937.66MeVです。Λ＋cのラブの質量エネルギーは937.66MeVです。
Λ＋cのラブについて、Λ＋cのラブの公転軌道。Λ＋cのラブが1公転で作る電気の光子1個のエネルギー。Λ＋cのラブの質量エネルギーは何個分の電磁気のエネルギー-であるか。Λ＋cのラブの自転軌道。Λ＋cのラブが1自転で作る磁気の光子1個のエネルギー。Λ＋cのラブができた場のA。それらを求める。
14．陽子のラブとΔ+(1232)のラブとΣ＋のラブとΛ＋cのラブについて、各々のラブの質量エネルギー。ラブの公転軌道。ラブが作る電磁気1個のエネルギー。ラブの電磁気数。陽子のラブの質量エネルギーを  1とするラブの質量エネルギー。それらを記す。
15．粒子の軌道エネルギーは電磁気の軌道エネルギーの何倍か。
粒子の軌道エネルギー÷電磁気の軌道エネルギー＝8.665×10−24Jm÷(1.233×10−41Jm)＝7.028×1017
粒子の軌道エネルギーは電磁気の軌道エネルギーの7.028×1017倍です。
【発明の効果】
【０００６】
1．陽子を構成する物を表に示す。
2．陽子の中に存在する、陽子の中心の物とuクオークとuクオークとdクオークについて、
高エネルギー加速器の中のエネルギーと高エネルギー加速器の中の軌道と地表のエネルギーと地表の軌道を表に示す。
3．陽子の中身を調べてみると、そこに存在する最も大きな質量エネルギーの存在は、陽子の中心の物です。この中に微粒子である陽子のラブが存在する。この陽子のラブが自転しながら公転し、電磁気を作っている。
4．陽子のラブを表に示す。理解できる事を記す。
5．Δ+(1232) を構成する物を表に示す。
6．Δ+(1232)の中に存在する、Δ+(1232)の中心の物と uクオークとuクオークとdクオークについて、
高エネルギー加速器の中のエネルギーと高エネルギー加速器の中の軌道と地表のエネルギーと地表の軌道を表に示す。
7．Δ+(1232)のラブを表に示す。
8．Σ＋を構成する物を表に示す。
9．Σ＋の中に存在する、 Σ＋の中心の物と uクオークとuクオークとsクオークについて、
高エネルギー加速器の中のエネルギーと高エネルギー加速器の中の軌道と地表のエネルギーと地表の軌道を表に示す。
10．Σ＋のラブを表に示す。
11．Λ＋cを構成する物を表に示す。
12．Λ＋cの中に存在する、Λ＋cの中心の物と uクオークとdクオークとcクオークについて、
高エネルギー加速器の中のエネルギーと高エネルギー加速器の中の軌道と地表のエネルギーと地表の軌道を表に示す。
13．Λ＋cのラブを表に示す。
14．陽子のラブとΔ+(1232)のラブとΣ＋のラブとΛ＋cのラブを表に示す。
15．「粒子の質量と電磁気の質量の統一」より、
エネルギー＝質量エネルギー、であるからです。
粒子の軌道エネルギー＝電磁気の軌道エネルギー×7.028×1017
粒子の軌道質量エネルギー＝電磁気の軌道質量エネルギー×7.028×1017
この事は、電磁気が7.028×1017個集まり粒子に成る事を示す。
【図面の簡単な説明】
【０００７】
【図１】図１は陽子の中を図示する。1．陽子の中心の物とは何か。陽子の中心の物とは陽子のラブです。陽子のラブが自転し公転することにより磁気の光子と電気の光子を作っている。その作った磁気の光子と電気の光子が束に成ってdクオークとuクオークに成っている。このように考えると、今までの陽子に対する概念が覆される。今まで、陽子の質量エネルギーは938.272MeVであると考えられてきた。その中に、uクオークが2個とdクオークが1個存在する、と考えられてきた。陽子の質量エネルギーの中にはuクオークが2個とdクオークが1個の質量エネルギーも含まれることに成る。陽子の質量エネルギー＝uクオークの質量エネルギー＋uクオークの質量エネルギー＋dクオークの質量エネルギー＋陽子の中心の物の質量エネルギーそれで、陽子の中身を調べてみると、そこに存在する最も大きな質量エネルギーの存在は、陽子の中心の物です。陽子の中心の物は陽子のラブです。この陽子のラブが自転しながら公転し、電磁気を作っている。それで、陽子のラブについて再度考える。2．陽子のラブについて。陽子のラブは陽子の中心の物です。陽子のラブの質量エネルギーは、周囲に存在するuクオークとuクオークとdクオークの質量により異なる。uクオークは2種類の質量エネルギーの物とし、1.7MeVと3.1MeVとする。dクオークについては、4.1MeVのdクオークの公転軌道は3.520×10−12m であり、5.7MeVのdクオークの公転軌道は2.531×10−12m である。中心の物の公転軌道は5.812×10-14m 〜5.839×10-14mです。陽子のラブの自転と公転によりdクオークができるのですから、より陽子のラブの公転軌道に近い軌道を公転するdクオークをdクオークとする。  より質量エネルギーの大きいクオークとする。5.7MeVのクオークとする。陽子の中心の物の質量エネルギー＝陽子の質量エネルギー-( 1.7MeVのuクオークの質量エネルギー＋3.1MeVのuクオークの質量エネルギー＋5.7MeVのdクオークの質量エネルギー)＝938.272MeV−(1.7MeV＋3.1MeV＋5.7MeV)＝938.272MeV−10.5MeV＝927.772MeV陽子の中心の物の質量エネルギーは927.772MeVです。陽子のラブの質量エネルギーは927.772MeVです。927.772MeV＝927.772×1.602×10-19J×106＝1.486×10-10J陽子のラブの公転軌道エネルギーを8.665×10-24Jmとすると、陽子のラブの公転軌道＝8.665×10-24Jm÷(1.486×10-10J)＝5.831×10-14m、です。陽子のラブが1公転で作る電気の光子1個のエネルギーは、1.233×10-41Jm÷(5.831×10-14m)＝2.115×10-28J、です。陽子のラブの質量エネルギーは何個分の電磁気のエネルギー-であるか。陽子のラブの質量エネルギー÷電気の光子1個のエネルギー＝1.486×10-10J÷(2.115×10-28J)＝7.026×1017(個)陽子のラブの質量エネルギーは7.026×1017個分の電磁気のエネルギー-である。陽子のラブの自転軌道＝公転軌道×3.14÷1公転の自転数＝5.831×10-14m×3.14÷(4.34×104)＝4.219×10−18m陽子のラブが1自転で作る磁気の光子1個のエネルギーはいくらか。陽子のラブが1自転で作る磁気の光子1個のエネルギー＝電気の光子1個のエネルギー÷1公転の自転数＝2.115×10-28J÷(4.34×104)＝4.873×10−33J陽子のラブが存在する場のA=地表の電子のラブの公転軌道÷陽子中心の物の公転軌道＝1.058×10-10m÷(5.831×10−14m)＝1.814×103
【図２】図２は、ラブはどのような粒子かを図示する。・陽子のラブはどのような粒子か。陽子のラブは陽子の中心の物です。陽子のラブの質量エネルギーは938.272MeV−10.5MeV＝927.772MeV＝1.486×10-10J です。陽子のラブは5.831×10-14mの軌道を公転する。陽子のラブはA=1.814×103の場に存在する。陽子のラブが1公転で作る電磁気1個のエネルギーは2.115×10-28Jです。陽子のラブの電磁気数は7.026×1017個です。・Δ+(1232)のラブはどのような粒子か。Δ+(1232)のラブの質量エネルギーは1232MeV-10.5MeV＝1221.5MeV＝1.962×10-10Jです。Δ+(1232)のラブは4.428×10-14mの軌道を公転する。Δ+(1232)のラブの質量エネルギーは陽子のラブの質量エネルギーの、1.957×10-10J÷(1.486×10-10J)＝1.317倍に成ったものです。Δ+(1232)のラブができた場のAは、陽子のラブが存在する場のAの、2.389×103÷(1.814×103)＝1.316倍です。Δ+(1232)のラブが1公転で作る電磁気1個のエネルギーは2.785×10-28Jです。Δ+(1232)のラブの電磁気数は7.027×1017個です。・Σ＋のラブはどのような粒子か。Σ＋のラブの質量エネルギーは1189.37MeV−134.8MeV＝1054.57MeV＝1.689×10-10Jです。Σ＋のラブは5.130×10-14mの軌道を公転する。Σ＋のラブの質量エネルギーは陽子のラブの質量エネルギーの、1.689×10-10J ÷(1.486×10-10J)＝1.137倍に成ったものです。Σ＋のラブができた場のAは、陽子のラブが存在する場のAの、2.062×103÷(1.814×103)＝1.137倍です。Σ＋のラブが1公転で作る電磁気1個のエネルギーは2.404×10-28Jです。Σ＋のラブの電磁気数は7.026×1017個です。・Λ＋cのラブはどのような粒子か。Λ＋cのラブの質量エネルギーは2286.46MeV−1348.8MeV＝937.66MeV ＝1.502×10-10Jです。Λ＋cのラブは5.769×10-14mの軌道を公転する。Λ＋cのラブの質量エネルギーは陽子のラブの質量エネルギーの、1.502×10-10J÷(1.490×10-10J)＝1.008倍に成ったものです。Λ＋cのラブができた場のAは、陽子のラブが存在する場のAの、1.834×103÷(1.814×103)＝1.011倍です。Λ＋cのラブが1公転で作る電磁気1個のエネルギーは2.137×10-28Jです。Λ＋cのラブの電磁気数は7.029×1017個です。
【発明を実施するための形態】
【０００８】
１．    陽子の構成はuクオークとuクオークとdクオークと中心の物です。どのような構造になっているか。
陽子の質量エネルギーは、938.272MeVですから、938.272MeV＝938.272×1.602×10-19J×106＝1.503×10-10J、です。
クオークは、1.7MeVのuクオークと3.1MeVのuクオークと5.7MeVのdクオークとする。
陽子の質量エネルギー＝uクオークの質量エネルギー＋uクオークの質量エネルギー＋dクオークの質量エネルギー＋中心の物の質量エネルギー
中心の物の質量エネルギー＝陽子の質量エネルギー-(1.7MeVの uクオークの質量エネルギー＋3.1MeVのuクオークの質量エネルギー＋5.7MeVのdクオークの質量エネルギー)
中心の物の質量エネルギー＝陽子の質量エネルギー-(1.7MeV＋3.1MeV＋5.7MeV)
中心の物の質量エネルギー＝938.272MeV-10.5MeV＝927.772MeV
陽子の中心の物の質量エネルギーは927.772MeVです。
陽子の中心の物の質量エネルギー＝927.772MeV＝927.772×1.602×10-19J×106＝1.486×10-10J
陽子の中心の物の公転軌道は、8.665×10−24Jm÷(1.486×10-10J)＝5.831×10-14m、です。
1公転でできる電気の光子1個のエネルギーはいくらか。
1公転でできる電気の光子1個のエネルギー＝1.233×10-41Jm÷(5.831×10-14m)＝2.115×10-28J
陽子の中心の物は何個の電磁気でできているか。
電磁気数＝陽子の中心の物のエネルギー÷電磁気1個のエネルギー＝1.486×10-10J÷(2.115×10-28J)＝7.026×1017(個)
磁気の光子の自転軌道＝電気の光子の公転軌道×3.14÷1公転の自転数＝5.831×10−14m×3.14÷(4.34×104回)＝4.219×10-18m
磁気の光子1個のエネルギー＝電気の光子1個のエネルギー÷1公転の自転数＝2.115×10-28J÷(4.34×104回)＝4.873×10-33J
陽子の中心の物ができた場のAはいくらか。
A=地表の電子のラブの公転軌道÷陽子の中心の物の公転軌道＝1.058×10-10m÷(5.831×10−14m)＝1.814×103
この事を表に示す。
陽子を構成する物
表１
2017221047.tif 000003
２．    陽子は中心の物とuクオークとuクオークとdクオークによって構成される。どのように回転しているか。
・陽子の中心の物の質量エネルギーが938.272MeV-10.5MeV＝927.772MeV ＝1.486×10-10Jで、公転軌道は5.831×10−14m 。
高エネルギー加速器の中では、陽子の中心の物の質量エネルギー×3×108＝927.772MeV×3×108＝1.486×10-10J×3×108＝4.458×10-2J、です。
高エネルギー加速器の中では、陽子の中心の物の公転軌道＝8.665×10−24Jm÷(4.458×10-2J)＝1.944×10-22m、です。
地表では、陽子の中心の物の質量エネルギーは、927.772MeV ＝1.486×10-10Jです。
地表では、陽子の中心の物の公転軌道＝8.665×10−24Jm÷(1.486×10-10J)＝5.831×10-14m、です。
上記の事と、1.7MeVのuクオークの表、3.1MeVのuクオークの表、5.7MeVのdクオークの表から各々の回転軌道を得る。
高エネルギー加速器の中で5.7MeVのdクオークはどのようであるか。地表では5.7MeVのdクオークはどのようになるか。
表２
2017221047.tif 000004
1.7MeVのuクオーク
表３
2017221047.tif 000005
3.1 MeVのuクオーク
表４
2017221047.tif 000006
陽子の中に存在する、陽子の中心の物とuクオークとdクオークについて、
高エネルギー加速器の中のエネルギーと高エネルギー加速器の中の軌道と地表のエネルギーと地表の軌道
表５
2017221047.tif 000007
陽子の中は、陽子の中心の物(右回転)、dクオーク(左回転)、3.1MeVのuクオーク(右回転)、1.7MeVのuクオーク(右回転)の順に軌道は大きく成り回転している。
３．    陽子の中心の物とは何か。
陽子の中心の物とは陽子のラブです。陽子のラブが自転し公転することにより磁気の光子と電気の光子を作っている。その作った磁気の光子と電気の光子が塊に成ってdクオークとuクオークに成っている。
このように考えると、今までの陽子に対する概念が覆される。
今まで、陽子の質量エネルギーは938.272MeVであると考えられてきた。その中に、uクオークが2個とdクオークが1個存在する、と考えられてきた。
しかし、陽子の中身を調べてみると、そこに存在する最も大きな質量エネルギーの存在は、陽子の中心の物です。陽子の中心の物は陽子のラブです。この陽子のラブが自転しながら公転し、電磁気を作っている。
それで、陽子のラブについて再度考える。
４．    陽子のラブについて。
陽子のラブは陽子の中心の物です。
陽子のラブの質量エネルギーは、周囲に存在するuクオークとuクオークとdクオークの質量により異なる。
uクオークは2種類の質量エネルギーの物とし、1.7MeVと3.1MeVとする。
dクオークについては、4.1MeVのdクオークの公転軌道は3.520×10−12m であり、5.7MeVのdクオークの公転軌道は2.531×10−12m である。中心の物の公転軌道は5.812×10-14m 〜5.839×10-14mです。陽子のラブの自転と公転によりdクオークができるのですから、より陽子のラブの公転軌道に近い軌道を公転するdクオークをdクオークとする。  より質量エネルギーの大きいクオークとする。5.7MeVのdクオークとする。
陽子の中心の物の質量エネルギー＝陽子の質量エネルギー-( 1.7MeVのuクオークの質量エネルギー＋3.1MeVのuクオークの質量エネルギー＋5.7MeVのdクオークの質量エネルギー)＝938.272MeV−(1.7MeV＋3.1MeV＋5.7MeV)＝938.272MeV−10.5MeV＝927.772MeV
陽子の中心の物の質量エネルギーは927.772MeVです。
陽子のラブの質量エネルギーは927.772MeVです。927.772MeV＝927.772×1.602×10-19J×106＝1.486×10-10J
陽子のラブの公転軌道エネルギーを8.665×10-24Jmとすると、陽子のラブの公転軌道＝8.665×10-24Jm÷(1.486×10-10J)＝5.831×10-14m、です。
陽子のラブが1公転で作る電気の光子1個のエネルギーは、1.233×10-41Jm÷(5.831×10-14m)＝2.115×10-28J、です。
陽子のラブの質量エネルギーは何個分の電磁気のエネルギー-であるか。
陽子のラブの質量エネルギー÷電気の光子1個のエネルギー＝1.486×10-10J÷(2.115×10-28J)＝7.026×1017(個)
陽子のラブの質量エネルギーは7.026×1017個分の電磁気のエネルギー-である。
陽子のラブの自転軌道＝公転軌道×3.14÷1公転の自転数＝5.831×10-14m×3.14÷(4.34×104)＝4.219×10−18m
陽子のラブが1自転で作る磁気の光子1個のエネルギーはいくらか。
陽子のラブが1自転で作る磁気の光子1個のエネルギー＝電気の光子1個のエネルギー÷1公転の自転数＝2.115×10-28J÷(4.34×104)＝4.873×10−33J
陽子のラブが存在する場のA=地表の電子のラブの公転軌道÷陽子中心の物の公転軌道＝1.058×10-10m÷(5.831×10−14m)＝1.814×103
まとめて表に示す。
陽子のラブ
表６
2017221047.tif 000008
理解できる事。
1．陽子のラブは、4.219×10−18m の軌道を自転しながら、5.831×10-14mの公転軌道を回転する。
2．陽子のラブは、4.219×10−18m の軌道を1回自転し、4.873×10−33Jの磁気の光子を1個作る。
3．陽子のラブは、5.831×10-14mの公転軌道を1回転するとき、4.34×104回自転し、4.34×104個の磁気の光子を作る。
4．陽子のラブは、5.831×10-14mの公転軌道を1回転するとき作る磁気の光子のエネルギーは、4.873×10−33J×4.34×104個＝2.115×10−28J、です。
5．陽子のラブは、5.831×10-14mの公転軌道を1回転し、2.115×10-28Jの電気の光子を1個作る。
6．陽子のラブは、5.831×10-14mの公転軌道を1回転し、2.115×10-28Jの電気の光子を1個作り、同時に4.34×104回自転し、4.34×104個の磁気の光子を作り、そのエネルギーは共に2.115×10−28Jです。作用する方向は垂直方向です。
7．陽子のラブは同じ時間に同じエネルギーの電気の光子と磁気の光子を作る。
8．927.772MeV＝1.486×10-10Jの陽子のラブが存在する場は、A=1.814×103です。
9．陽子のラブの質量エネルギーは7.026×1017個分の電磁気の質量エネルギー-である。
５．    Δ+(1232)の構成はuクオークとuクオークとdクオークと中心の物です。どのような構造になっているか。  
Δ+(1232)の質量エネルギーは1231〜1233MeVですから、中間の1232MeVとする。
1232MeV＝1232×1.602×10-19J×106＝1.974×10-10J、です。
uクオークの質量エネルギーは、1.7MeVと3.1MeVで、dクオークの質量エネルギーは5.7MeVとする。
Δ+(1232)の質量エネルギー＝uクオークの質量エネルギー＋uクオークの質量エネルギー＋dクオークの質量エネルギー＋中心の物の質量エネルギー
中心の物の質量エネルギー＝Δ+(1232)の質量エネルギー-(1.7 uクオークの質量エネルギー＋3.1uクオークの質量エネルギー＋5.7dクオークの質量エネルギー)
中心の物の質量エネルギー＝Δ+(1232)の質量エネルギー-(1.7MeV＋3.1MeV＋5.7MeV)
中心の物の質量エネルギー＝1232MeV-10.5MeV＝1221.5MeV
Δ+(1232)の中心の物の質量エネルギーは1221.5MeVです。
Δ+(1232)の中心の物の質量エネルギー＝1221.5MeV＝1221.5×1.602×10-19J×106＝1.957×10-10J
1.957×10-10JのΔ+(1232) の中心の物の公転軌道は、8.665×10−24Jm÷(1.957×10-10J)＝4.428×10-14m、です。
1公転でできる電気の光子1個のエネルギーはいくらか。
1公転でできる電気の光子1個のエネルギー＝1.233×10-41Jm÷(4.428×10-14m)＝2.785×10-28J
Δ+(1232)の中心の物は何個の電磁気が1束になっているか。
1束の電磁気数＝Δ+(1232)の中心の物のエネルギー÷電磁気1個のエネルギー＝1.957×10-10J÷(2.785×10-28J)＝7.027×1017(個)
磁気の光子の自転軌道＝電気の光子の公転軌道×3.14÷1公転の自転数＝4.428×10−14m×3.14÷(4.34×104回)＝3.204×10-18m
磁気の光子1個のエネルギー＝電気の光子1個のエネルギー÷1公転の自転数＝2.785×10-28J÷(4.34×104回)＝6.417×10-33J
Δ+(1232)の中心の物ができた場のAはいくらか。
A=地表の電子のラブの公転軌道÷Δ+(1232)の中心の物の公転軌道＝1.058×10-10m÷(4.428×10−14m)＝2.389×103
この事を表に示す。
Δ+(1232)を構成する物
表７
2017221047.tif 000009
６．    Δ+(1232)は中心の物とuクオークとuクオークとdクオークによって構成される。どのように回転しているか。
・Δ+(1232)の中心の物の質量ネルギーが1221.5MeV＝1.957×10-10Jで、公転軌道は4.428×10-14mの場合。
高エネルギー加速器の中では、Δ+(1232)の中心の物の質量ネルギー×3×108＝1221.5MeV×3×108＝1.957×10-10J×3×108＝5.871×10-2J、です。
高エネルギー加速器の中では、Δ+(1232)の中心の物の公転軌道＝8.665×10−24Jm÷(5.871×10-2J)＝1.476×10-22m、です。
地表では、Δ+(1232)の中心の物の質量エネルギーは、1221.5MeV ＝1.957×10-10J です。
地表では、Δ+(1232の中心の物の公転軌道＝8.665×10−24Jm÷(1.957×10-10J )＝4.428×10-14m、です。
上記の事と、1.7MeVのuクオークの表、3.1MeVのuクオークの表、5.7MeVのdクオークの表から回転軌道を得る。
この事を表に示す。
Δ+(1232)の中に存在する、Δ+(1232)の中心の物と uクオークとuクオークとdクオークについて、
高エネルギー加速器の中のエネルギーと高エネルギー加速器の中の軌道と地表のエネルギーと地表の軌道
表８
2017221047.tif 000010
Δ+(1232)の中は、Δ+(1232)の中心の物(右回転)、5.7MeVのdクオーク(左回転)、3.1MeVのuクオーク(右回転)、1.7MeVのuクオーク(右回転)の順に軌道は大きく成り回転している。
７．    Δ+(1232)のラブについて。
Δ+(1232)の中はuクオークとuクオークとdクオークと中心の物が存在する。
課題4．の考えによりdクオークは質量エネルギーの大きい5.7MeVのdクオークとする。
Δ+(1232)の中心の物の質量エネルギー＝Δ+(1232)の質量エネルギー-( 1.7MeVのuクオークの質量エネルギー＋3.1MeVのuクオークの質量エネルギー＋5.7MeVのdクオークの質量エネルギー)＝1232MeV−(1.7MeV＋3.1MeV＋5.7MeV)＝1232MeV−10.5MeV＝1221.5MeV
Δ+(1232)の中心の物の質量エネルギーは1221.5MeVです。
Δ+(1232)のラブの質量エネルギーは1221.5MeVです。1221.5MeV＝1221.5×1.602×10-19J×106＝1.957×10-10J
Δ+(1232)のラブの公転軌道エネルギーを8.665×10-24Jmとすると、Δ+(1232)のラブの公転軌道＝8.665×10-24Jm÷(1.957×10-10J)＝4.428×10-14m、です。
Δ+(1232)のラブが1公転で作る電気の光子1個のエネルギーは、1.233×10-41Jm÷(4.428×10-14m)＝2.785×10-28J、です。
Δ+(1232)のラブの質量エネルギーは何個分の電磁気のエネルギー-であるか。
Δ+(1232)のラブの質量エネルギー÷電気の光子1個のエネルギー＝1.957×10-10J÷(2.785×10-28J)＝7.027×1017(個)
Δ+(1232)のラブの質量エネルギーは7.027×1017個分の電磁気のエネルギー-である。
Δ+(1232)のラブの自転軌道＝公転軌道×3.14÷1公転の自転数＝4.428×10-14m×3.14÷(4.34×104)＝3.204×10−18m
Δ+(1232)のラブが1自転で作る磁気の光子1個のエネルギーはいくらか。
Δ+(1232)のラブが1自転で作る磁気の光子1個のエネルギー＝電気の光子1個のエネルギー÷1公転の自転数＝2.785×10-28J÷(4.34×104)＝6.417×10−33J
Δ+(1232)のラブできた場のA＝地表の電子のラブの公転軌道÷Δ+(1232)の中心の物の公転軌道＝1.058×10-10m÷(4.428×10−14m)＝2.389×103
まとめて表に示す。
Δ+(1232)のラブ
表９
2017221047.tif 000011
理解できる事
1．Δ+(1232)のラブは陽子のラブのエネルギーが、1221.5MeV÷927.772MeV MeV＝1.317倍に成ったものです。
陽子のラブのエネルギーをクオークの質量エネルギーを引いたものとする。
８．    Σ＋の構成はuクオークとuクオークとsクオークと中心の物です。どのような構造になっているか。
Σ＋の質量エネルギーは、1189.37MeVですから、1189.37MeV＝1189.37×1.602×10-19J×106＝1.905×10-10J、です。
1.7MeVのuクオークと3.1MeVのuクオークと130MeVのsクオークとする。
Σ＋の質量エネルギー＝uクオークの質量エネルギー＋uクオークの質量エネルギー＋sクオークの質量エネルギー＋中心の物の質量エネルギー
中心の物の質量エネルギー＝Σ＋の質量エネルギー-(1.7 MeVの uクオークの質量エネルギー＋3.1 MeVのuクオークの質量エネルギー＋130 MeVのsクオークの質量エネルギー)
中心の物の質量エネルギー＝Σ＋の質量エネルギー-(1.7 MeV＋3.1 MeV＋130 MeV)
中心の物の質量エネルギー＝1189.37MeV-134.8MeV＝1054.57MeV
Σ＋の中心の物の質量エネルギーは1054.57MeVです。
Σ＋の中心の物の質量エネルギー＝1054.57MeV＝1054.57×1.602×10-19J×106＝1.689×10-10J
Σ＋の中心の物の中心の物の公転軌道は、8.665×10−24Jm÷(1.689×10-10J)＝5.130×10-14m、です。
1公転でできる電気の光子1個のエネルギーはいくらか。
1公転でできる電気の光子1個のエネルギー＝1.233×10-41Jm÷(5.130×10-14m)＝2.404×10-28J
Σ＋の中心の物は何個の電磁気が1束になっているか。
1束の電磁気数＝Σ＋の中心の物のエネルギー÷電磁気1個のエネルギー＝1.689×10-10J÷(2.404×10-28J)＝7.026×1017(個)
磁気の光子の自転軌道＝電気の光子の公転軌道×3.14÷1公転の自転数＝5.130×10−14m×3.14÷(4.34×104回)＝3.712×10-18m
磁気の光子1個のエネルギー＝電気の光子1個のエネルギー÷1公転の自転数＝2.4041×10-28J÷(4.34×104回)＝5.539×10-33J
Σ＋の中心の物ができた場のAはいくらか。
A=地表の電子のラブの公転軌道÷Σ＋の中心の物の公転軌道＝1.058×10-10m÷(5.130×10−14m)＝2.062×103
この事を表に示す。
Σ＋を構成する物
表１０
2017221047.tif 000012
９．    Σ＋は中心の物とuクオークとuクオークとsクオークによって構成される。どのように回転しているか。
・Σ＋の中心の物の質量エネルギーが1054.57MeV＝1.689×10-10J で、公転軌道は5.130×10-14m 。
高エネルギー加速器の中では、Σ＋の中心の物の質量エネルギー×3×108＝1054.57MeV×3×108＝1.689×10-10J×3×108＝5.067×10-2J、です。
高エネルギー加速器の中では、Σ＋の中心の物の公転軌道＝8.665×10−24Jm÷(5.067×10-2J)＝1.710×10-22m、です。
地表では、Σ＋の中心の物の質量エネルギーは、1054.57MeV＝1.689×10-10J です。
地表では、Σ＋の中心の物の公転軌道＝8.665×10−24Jm÷(1.689×10-10J)＝5.130×10-14m、です。
上記の事と、1.7MeVのuクオークの表、3.1MeVのuクオークの表、80MeVのsクオークの表、130MeVのsクオークの表から回転する軌道を得る。
130MeVのSクオーク
表１１
2017221047.tif 000013
この事を表に示す。
Σ＋の中に存在する、 Σ＋の中心の物と uクオークとuクオークとsクオークについて、
高エネルギー加速器の中のエネルギーと高エネルギー加速器の中の軌道と地表のエネルギーと地表の軌道
表１２
2017221047.tif 000014
Σ＋の中で、Σ＋の中心の物(右回転)、130MeVのsクオーク(左回転)、3.1MeVのuクオーク(右回転)、1.7MeVのuクオーク(右回転)の順に軌道は大きく成り回転している。
１０．    Σ＋のラブについて。
Σ＋の中はuクオークとuクオークとsクオークと中心の物が存在する。
課題4．の考えによりsクオークはエネルギーの大きい130MeVのsクオークとする。
Σ＋の中心の物の質量エネルギー＝Σ＋の質量エネルギー-( 1.7MeVのuクオークの質量エネルギー＋3.1MeVのuクオークの質量エネルギー＋130MeVのsクオークの質量エネルギー)＝1189.37MeV−(1.7MeV＋3.1MeV＋130MeV)＝1189.37MeV−134.8MeV＝1054.57MeV
Σ＋の中心の物の質量エネルギーは1054.57MeVです。
Σ＋のラブの質量エネルギーは1054.57MeVです。1054.57MeV＝1054.57×1.602×10-19J×106＝1.689×10-10J
Σ＋のラブの公転軌道エネルギーを8.665×10-24Jmとすると、陽子のラブの公転軌道＝8.665×10-24Jm÷(1.689×10-10J)＝5.130×10-14m、です。
Σ＋のラブが1公転で作る電気の光子1個のエネルギーは、1.233×10-41Jm÷(5.130×10-14m)＝2.404×10-28J、です。
Σ＋のラブの質量エネルギーは何個分の電磁気のエネルギー-であるか。
Σ＋のラブの質量エネルギー÷電気の光子1個のエネルギー＝1.689×10-10J÷(2.404×10-28J)＝7.026×1017(個)
Σ＋のラブの質量エネルギーは7.026×1017個分の電磁気のエネルギー-である。
Σ＋のラブの自転軌道＝公転軌道×3.14÷1公転の自転数＝5.130×10-14m×3.14÷(4.34×104)＝3.712×10−18m
Σ＋のラブが1自転で作る磁気の光子1個のエネルギーはいくらか。
Σ＋のラブが1自転で作る磁気の光子1個のエネルギー＝電気の光子1個のエネルギー÷1公転の自転数＝2.404×10-28J÷(4.34×104)＝5.539×10−33J
Σ＋のラブできた場のA＝地表の電子のラブの公転軌道÷Δ+(1232)の中心の物の公転軌道＝1.058×10-10m÷(5.130×10−14m)＝2.062×103
まとめて表に示す。
Σ＋のラブ
表１３
2017221047.tif 000015
１１．    Λ＋cの構成は中心の物とuクオークとdクオークとcクオークです。どのような構造になっているか。
Λ＋cの質量エネルギーは、2286.46MeVですから、2286.46MeV＝2286.46×1.602×10-19J×106＝3.663×10-10J、です。
クオークの質量エネルギーは質量エネルギーの大きい物とする。
3.1MeVのuクオークと5.7MeVのdクオークと1340MeVのcクオークとする。
Λ＋cの質量エネルギー＝uクオークの質量エネルギー＋dクオークの質量エネルギー＋cクオークの質量エネルギー＋中心の物の質量エネルギー
中心の物の質量エネルギー＝Λ＋cの質量エネルギー-( uクオークの質量エネルギー＋dクオークの質量エネルギー＋cクオークの質量エネルギー)
中心の物の質量エネルギー＝2286.46MeV-(3.1MeV＋5.7MeV＋1340MeV)＝2286.46MeV &#8211;1348.8MeV＝937.66MeV
Λ＋cの中心の物の質量エネルギーは937.66MeVです。
Λ＋cの中心の物の質量エネルギー＝937.66MeV＝937.66×1.602×10-19J×106＝1.502×10-10J
Λ＋cの中心の物の中心の物の公転軌道は、8.665×10−24Jm÷(1.502×10-10J)＝5.769×10-14m、です。
1公転でできる電気の光子1個のエネルギーはいくらか。
1公転でできる電気の光子1個のエネルギー＝1.233×10-41Jm÷(5.769×10-14m)＝2.137×10-28J
Λ＋cの中心の物は何個の電磁気が1束になっているか。
1束の電磁気数＝Λ＋cの中心の物のエネルギー÷電磁気1個のエネルギー＝1.502×10-10J÷(2.137×10-28J)＝7.029×1017(個)
磁気の光子の自転軌道＝電気の光子の公転軌道×3.14÷1公転の自転数＝5.769×10−14m×3.14÷(4.34×104回)＝4.174×10-18m
磁気の光子1個のエネルギー＝電気の光子1個のエネルギー÷1公転の自転数＝2.137×10-28J÷(4.34×104回)＝4.924×10-33J
Λ＋cの中心の物ができた場のAはいくらか。
A=地表の電子のラブの公転軌道÷Λ＋cの中心の物の公転軌道＝1.058×10-10m÷(5.769×10−14m)＝1.834×103
この事を表に示す。
Λ＋cを構成する物
表１４
2017221047.tif 000016
１２．    Λ＋cは中心の物とuクオークとdクオークとcクオークによって構成される。どのように回転しているか。
・Λ＋cの中心の物の質量エネルギーが937.66MeV ＝1.502×10-10J で、公転軌道は 5.769×10-14m。
高エネルギー加速器の中では、Λ＋cの中心の物の質量エネルギー×3×108＝937.66MeV×3×108＝1.502×10-10J×3×108＝4.506×10-2J、です。
高エネルギー加速器の中では、Λ＋cの中心の物の公転軌道＝8.665×10−24Jm÷(4.506×10-2J)＝1.923×10-22m、です。
地表では、Λ＋cの中心の物の質量エネルギーは、 937.66MeV ＝1.502×10-10Jです。
地表では、Λ＋cの中心の物の公転軌道＝8.665×10−24Jm÷(1.502×10-10J)＝5.769×10-14m、です。
上記の事と、3.1MeVのクオークの表、5.7MeVのdクオークの表、1340MeVのcクオークの表から、回転する軌道を得る。
1.34GeVのcクオーク
表１５
2017221047.tif 000017
この事を表に示す。
Λ＋cの中に存在する、Λ＋cの中心の物と uクオークとdクオークとcクオークについて、
高エネルギー加速器の中のエネルギーと高エネルギー加速器の中の軌道と地表のエネルギーと地表の軌道
表１６
2017221047.tif 000018
１３．    Λ＋cのラブについて。
Λ＋cの中はuクオークとdクオークとcクオークと中心の物が存在する。
課題4．の考えによりクオークはエネルギーの大きいクオークとする。
Λ＋cの中心の物の質量エネルギー＝Λ＋cの質量エネルギー-( 3.1MeVのuクオークの質量エネルギー＋5.7MeVのdクオークの質量エネルギー＋1340MeVのcクオークの質量エネルギー)＝2286.46MeV−(3.1MeV＋5.7MeV＋1340MeV)＝2286.46MeV−1348.8MeV＝937.66MeV
Λ＋cの中心の物の質量エネルギーは937.66MeVです。
Λ＋cのラブの質量エネルギーは937.66MeVです。937.66MeV＝937.66×1.602×10-19J×106＝1.502×10-10J
Λ＋cのラブの公転軌道エネルギーを8.665×10-24Jmとすると、陽子のラブの公転軌道＝8.665×10-24Jm÷(1.502×10-10J)＝5.769×10-14m、です。
Λ＋cのラブが1公転で作る電気の光子1個のエネルギーは、1.233×10-41Jm÷(5.769×10-14m)＝2.137×10-28J、です。
Λ＋cのラブの質量エネルギーは何個分の電磁気のエネルギー-であるか。
Λ＋cのラブの質量エネルギー÷電気の光子1個のエネルギー＝1.502×10-10J÷(2.137×10-28J)＝7.029×1017(個)
Λ＋cのラブの質量エネルギーは7.029×1017個分の電磁気のエネルギー-である。
Λ＋cのラブの自転軌道＝公転軌道×3.14÷1公転の自転数＝5.769×10-14m×3.14÷(4.34×104)＝4.174×10−18m
Λ＋cのラブが1自転で作る磁気の光子1個のエネルギーはいくらか。
Λ＋cのラブが1自転で作る磁気の光子1個のエネルギー＝電気の光子1個のエネルギー÷1公転の自転数＝2.137×10-28J÷(4.34×104)＝4.924×10−33J
Λ＋cのラブできた場のA＝地表の電子のラブの公転軌道÷Δ+(1232)の中心の物の公転軌道＝1.058×10-10m÷(5.769×10−14m)＝1.834×103
まとめて表に示す。
Λ＋cのラブ
表１７
2017221047.tif 000019
１４．    ラブはどのような粒子か。
・陽子のラブはどのような粒子か。
陽子のラブは陽子の中心の物です。
陽子のラブの質量エネルギーは927.772MeV ＝1.486×10-10J です。
陽子のラブは5.831×10-14mの軌道を公転する。
陽子のラブはA=1.814×103の場に存在する。
陽子のラブが1公転で作る電磁気1個のエネルギーは2.115×10-28Jです。
陽子のラブの電磁気数は7.026×1017個です。
・Δ+(1232)のラブはどのような粒子か。
Δ+(1232)のラブの質量エネルギーは1232MeV-10.5MeV＝1221.5MeV ＝1.957×10-10Jです。
Δ+(1232)のラブは4.428×10-14mの軌道を公転する。
Δ+(1232)のラブの質量エネルギーは陽子のラブの質量エネルギーの、1.957×10-10J÷(1.486×10-10J)＝1.317倍に成ったものです。
Δ+(1232)のラブができた場のAは、陽子のラブが存在する場のAの、2.389×103÷(1.814×103)＝1.316倍です。
Δ+(1232)のラブが1公転で作る電磁気1個のエネルギーは2.785×10-28Jです。
Δ+(1232)のラブの電磁気数は7.027×1017個です。
・Σ＋のラブはどのような粒子か。
Σ＋のラブの質量エネルギーは1189.37MeV−134.8MeV＝1054.57MeV＝1.689×10-10Jです。
Σ＋のラブは5.130×10-14mの軌道を公転する。
Σ＋のラブの質量エネルギーは陽子のラブの質量エネルギーの、1.689×10-10J ÷(1.486×10-10J)＝1.137倍に成ったものです。
Σ＋のラブができた場のAは、陽子のラブが存在する場のAの、2.062×103÷(1.814×103)＝1.137倍です。
Σ＋のラブが1公転で作る電磁気1個のエネルギーは2.404×10-28Jです。
Σ＋のラブの電磁気数は7.026×1017個です。
・Λ＋cのラブはどのような粒子か。
Λ＋cのラブの質量エネルギーは2286.46MeV−1348.8MeV＝937.66MeV ＝1.502×10-10Jです。
Λ＋cのラブは5.769×10-14mの軌道を公転する。
Λ＋cのラブの質量エネルギーは陽子のラブの質量エネルギーの、1.502×10-10J÷(1.490×10-10J)＝1.008倍に成ったものです。
Λ＋cのラブができた場のAは、陽子のラブが存在する場のAの、1.834×103÷(1.814×103)＝1.011倍です。
Λ＋cのラブが1公転で作る電磁気1個のエネルギーは2.137×10-28Jです。
Λ＋cのラブの電磁気数は7.029×1017個です。
まとめて表に示す。
陽子のラブとΔ+(1232)のラブとΣ＋のラブとΛ＋cのラブ
表１８
2017221047.tif 000020
１５．    粒子の軌道エネルギーは8.665×10−24Jmです。電磁気の軌道エネルギーは1.233×10−41Jmです。この事は何を意味するか。
粒子の軌道エネルギーは電磁気の軌道エネルギーの何倍か。
粒子の軌道エネルギー÷電磁気の軌道エネルギー＝8.665×10−24Jm÷(1.233×10−41Jm)＝7.028×1017
粒子の軌道エネルギーは電磁気の軌道エネルギーの7.028×1017倍です。
この事は、電磁気が7.028×1017個集まり粒子に成る事を示す。
この事は、軌道エネルギー＝軌道質量エネルギー、です。
「粒子の質量と電磁気の質量の統一」より、
エネルギー＝質量エネルギー、であるからです。
粒子の軌道エネルギー＝電磁気の軌道エネルギー×7.028×1017
粒子の軌道質量エネルギー＝電磁気の軌道質量エネルギー×7.028×1017
この事は、電磁気が7.028×1017個集まり粒子に成る事を示す。
○総括
これらの事によって理解できた事。
陽子のラブ、Δ+(1232)のラブ、Σ＋のラブ、Λ＋cのラブ等の粒子は、約7.028×1017個の電磁気でできている。
粒子は約7.028×1017個の電磁気でできている。
【産業上の利用可能性】
【０００９】
素粒子を知ることは原子や元素を知ることであり、産業の発展に役立つ。
【符号の説明】
【００１０】
１    陽子のラブ  
２    陽子の中の中心の物の微粒子  
３    陽子のラブの質量エネルギーは938.272MeV−10.5MeV＝927.772MeV ＝1.486×10-10J  
４    陽子のラブの公転軌道は5.831×10−14m    
５    陽子のラブが１公転で作る電気の光子1個のエネルギーは2.115×10-28J  
６    陽子のラブの質量エネルギーは7.026×1017個分の電磁気のエネルギー-である  
７    陽子のラブの自転軌道は4.219×10−18m  
８    陽子のラブが1自転で作る磁気の光子1個のエネルギーは4.873×10−33J  
９    陽子のラブが存在する場のAはA=1.814×103 
１０    Δ+(1232)のラブ
１１    Δ+(1232)のラブの質量エネルギーは1232MeV-10.5MeV＝1221.5MeV ＝1.957×10-10J
１２    Δ+(1232)のラブは4.428×10-14mの軌道を公転する。
１３    Δ+(1232)のラブの質量エネルギーは陽子のラブの質量エネルギーの、1.957×10-10J÷(1.486×10-10J)＝1.317倍に成ったもの
１４    Δ+(1232)のラブができた場のAは、陽子のラブが存在する場のAの、2.389×103÷(1.814×103)＝1.316倍
１５    Δ+(1232)のラブが1公転で作る電磁気1個のエネルギーは2.785×10-28J
１６    Δ+(1232)のラブの電磁気数は7.027×1017個
１７    Σ＋のラブ
１８    Σ＋のラブの質量エネルギーは1189.37MeV−134.8MeV＝1054.57MeV＝1.689×10-10J
１９    Σ＋のラブは5.130×10-14mの軌道を公転する。
２０    Σ＋のラブの質量エネルギーは陽子のラブの質量エネルギーの、1.689×10-10J ÷(1.486×10-10J)＝1.137倍に成ったもの
２１    Σ＋のラブができた場のAは、陽子のラブが存在する場のAの、2.062×103÷(1.814×103)＝1.137倍
２２    Σ＋のラブが1公転で作る電磁気1個のエネルギーは2.404×10-28J
２３    Σ＋のラブの電磁気数は7.026×1017個
２４    Λ＋cのラブ
２５    Λ＋cのラブの質量エネルギーは2286.46MeV−1348.8MeV＝937.66MeV ＝1.502×10-10J
２６    Λ＋cのラブは5.769×10-14mの軌道を公転する。
２７    Λ＋cのラブの質量エネルギーは陽子のラブの質量エネルギーの、1.502×10-10J÷(1.490×10-10J)＝1.008倍に成ったもの
２８    Λ＋cのラブができた場のAは、陽子のラブが存在する場のAの、1.834×103÷(1.814×103)＝1.011倍
２９    Λ＋cのラブが1公転で作る電磁気1個のエネルギーは2.137×10-28J
３０    Λ＋cのラブの電磁気数は7.029×1017個
【図１】
2017221047.tif 000039
【図２】
2017221047.tif 000040